(57)【要約】【課題】本発明は、容易にディスプレイを組み立てることができる電子装置を提供する。【解決手段】本発明に係る電子装置は、ディスプレイを備える。ディスプレイは、カバーと、外枠、第一保護部材及び第二保護部材を含む保護モジュールと、表示パネルと、を備える。外枠は、カバーに固定され、第一保護部材は、外枠の第一側に固定され、第二保護部材は、外枠の第二側から延伸し、且つ表示パネルが前記カバーからの衝撃を受けないようにカバーと表示パネルとの間に設置され、外枠、第一保護部材及び第二保護部材は、一体的に成形される。【選択図】図１
2014165502.tif 000002
【特許請求の範囲】
【請求項１】
ディスプレイを備える電子装置であって、
前記ディスプレイは、
カバーと、
外枠、第一保護部材及び第二保護部材を含む保護モジュールと、
表示パネルと、を備え、
前記外枠は、前記カバーに固定され、前記第一保護部材は、前記外枠の第一側に固定され、前記第二保護部材は、前記外枠の第二側から延伸し、且つ前記表示パネルが前記カバーからの衝撃を受けないように前記カバーと前記表示パネルとの間に設置され、前記外枠、前記第一保護部材及び前記第二保護部材は、一体的に成形されることを特徴とする電子装置。
【請求項２】
前記ディスプレイは、さらに取付枠を備え、前記取付枠には、収容部が形成され、前記カバー及び前記保護モジュールは、前記取付枠内に取り付けられ、前記第二保護部材は、前記収容部内に収容されることを特徴とする、請求項１に記載の電子装置。
【請求項３】
前記第二保護部材は、その周縁から突出するフランジ及び複数の支持ストリップを備え、前記フランジは、前記外枠の内側面に固定され、前記支持ストリップは、前記フランジの下縁から延伸し、前記フランジ及び前記支持ストリップは、前記表示パネルを収容するための収容空間を形成することを特徴とする、請求項１または２に記載の電子装置。
【請求項４】
前記表示パネルの側面は前記フランジに当接され、前記表示パネルの底面は、前記支持ストリップに当接されることを特徴とする、請求項３に記載の電子装置。
【発明の詳細な説明】
【技術分野】
【０００１】
本発明は、電子装置に関し、特にディスプレイを備えた電子装置に関するものである。
【背景技術】
【０００２】
ノート型パソコン等のディスプレイを備えた電子装置において、一般的には、ディスプレイの表示パネルが外部の衝撃により損傷するのを防止するために、表示パネルの側辺縁にフォーム状等の保護素子を貼設してディスプレイを保護する。しかし、個別にこの保護素子をディスプレイに貼設しなければならないため、組み立ての手順及びコストを増加させる。
【発明の概要】
【発明が解決しようとする課題】
【０００３】
前記課題を解決するために、本発明は、容易にディスプレイを組み立てることができる電子装置を提供することを目的とする。
【課題を解決するための手段】
【０００４】
本発明に係る電子装置は、ディスプレイを備える。前記ディスプレイは、カバーと、外枠、第一保護部材及び第二保護部材を含む保護モジュールと、表示パネルと、を備える。前記外枠は、カバーに固定され、前記第一保護部材は、前記外枠の第一側に固定され、前記第二保護部材は、前記外枠の第二側から延伸し、且つ表示パネルが前記カバーからの衝撃を受けないように前記カバーと前記表示パネルとの間に設置され、前記外枠、前記第一保護部材及び前記第二保護部材は、一体的に成形される。
【発明の効果】
【０００５】
従来の技術と比べて、本発明の電子装置において、外枠、第一保護部材及び第二保護部材が一体的に成形されるため、フォーム状等の保護素子を貼設する必要がない。これにより、組み立ての手順を減らして時間も節約できるため、容易にディスプレイを組み立てることができる。
【図面の簡単な説明】
【０００６】
【図１】本発明の実施形態に係る電子装置の分解斜視図である。
【図２】図１に示した電子装置の保護モジュールの分解斜視図である。
【図３】図１に示した電子装置のＩＩＩ部の拡大図である。
【図４】図１に示した電子装置の組立斜視図である。
【図５】図４に示した電子装置のＶ部の拡大図である。
【図６】図４に示した電子装置を反転させた状態を示す図である。
【発明を実施するための形態】
【０００７】
以下、図面を参照して、本発明の実施形態について説明する。
【０００８】
図１を参照すると、本発明の実施形態に係る電子装置のディスプレイ２０は、カバー２１、保護モジュール２３、表示パネル２５及び取付枠２７を備える。
【０００９】
カバー２１は、取付枠２７内に取り付けられる。本実施形態において、取付枠２７は、略矩形を呈し、４つの取付ストリップ２７１が互いに連接して形成される。また、取付枠２７には、収容部２７０が形成されている。カバー２１の厚さは、各取付ストリップ２７１の厚さより薄い。
【００１０】
図２を参照すると、保護モジュール２３は、外枠２３１、第一保護部材２３２及び第二保護部材２３３を備える。保護モジュール２３は、表示パネル２５を保護し、表示パネル２５がカバー２１からの衝撃により損傷するのを防止するために用いられる。
【００１１】
本実施形態において、外枠２３１は、矩形を呈し、取付枠２７に固定される。外枠２３１には、カメラモジュール２３７が設置されている。
【００１２】
第一保護部材２３２は、矩形フレーム構造を呈し、外枠２３１に収容される。第一保護部材２３２は、外枠２３１に収容された際、外枠２３１の第一側から突出している。
【００１３】
第二保護部材２３３も外枠２３１に収容される。第二保護部材２３３は、その周縁から突出するフランジ２３３１及び複数の支持ストリップ２３３２を備える。第二保護部材２３３を外枠２３１に収容させた際、フランジ２３３１は、外枠２３１の内側面に当接される。支持ストリップ２３３２は、フランジ２３３１の下縁からフランジ２３３１に対して垂直な方向に沿って延伸している。フランジ２３３１の高さは、外枠２３１の高さより高く、且つ外枠２３１の第一側と反対の第二側から突出している。フランジ２３３１及び支持ストリップ２３３２は、表示パネル２５を収容するための収容空間２３６を形成している。
【００１４】
本実施形態において、外枠２３１はプラスチックからなり、第一保護部材２３２及び第二保護部材２３３は可撓性ゴム材料からなる。外枠２３１、第一保護部材２３２及び第二保護部材２３３は、ダブルショット成形によって一体的に形成されている。
【００１５】
図３〜図６を参照すると、ディスプレイ２０を組み立てる場合、先ず、カバー２１を取付枠２７に固定して収容部２７０を覆う。次に、外枠２３１を取付枠２７に固定する。この際、第二保護部材２３３は、収容部２７０内に収容される。最後に、表示パネル２５を収容空間２３６に収容させる。この際、カバー２１は、表示パネル２５を保持し、表示パネル２５の側面は、フランジ２３３１に当接され、表示パネル２５の底面は、支持ストリップ２３３２に当接される。フランジ２３３１は、表示パネル２５の側面が外部の衝撃により損傷されないように保護することができ、支持ストリップ２３３２は、表示パネル２５の側面が外部の衝撃により損傷されないように保護することができる。
【符号の説明】
【００１６】
２０  ディスプレイ
２１  カバー
２３  保護モジュール
２３１  外枠
２３２  第一保護部材
２３３  第二保護部材
２３３１  フランジ
２３３２  支持ストリップ
２３６  収容空間
２３７  カメラモジュール
２５  表示パネル
２７  取付枠
２７０  収容部
２７１  取付ストリップ
【図１】
2014165502.tif 000003
【図２】
2014165502.tif 000004
【図３】
2014165502.tif 000005
【図４】
2014165502.tif 000006
【図５】
2014165502.tif 000007
【図６】
2014165502.tif 000008